(57)【要約】【課題】茶葉収納部を取り外さなくとも茶葉を流出させずに容器本体内の飲料を飲むことができ、低コストで部品点数が少なくかつ衛生的な携帯用飲料容器を提供する。【解決手段】携帯用飲料容器１は、上部開口部２１を有した容器本体２と、容器本体２に着脱自在に設けられかつ上部開口部２１を閉栓可能な栓体３と、上部開口部２１内に着脱可能に設けられ、かつ上部開口部２１を覆うことのできる基部４１を有した飲み口部材４と、容器本体２内に収容可能な茶葉収納部材５とを備える。茶葉収納部材５の上面５１には茶葉投入口５２が設けられ、側面５３及び底面５４の少なくとも一面には茶葉の流出を防止する多数の通水孔５５が形成される。飲み口部材４は、基部４１の周囲に飲み口部材４を貫通した通水口４２が設けられる。飲み口部材４は、茶葉投入口５２が基部４１の底面４１ｂによって閉鎖されるように茶葉収納部材５を着脱自在な取付け部４５を有する。【選択図】図２
0003185488.tif 000002
【実用新案登録請求の範囲】
【請求項１】
上部開口部を有した容器本体と、
前記容器本体に着脱自在に設けられかつ前記上部開口部を閉栓可能な栓体と、
前記上部開口部内に着脱可能に設けられ、かつ当該上部開口部を覆うことのできる基部を有した飲み口部材と、
前記容器本体内に収容可能な茶葉収納部材と、
を備えた携帯用飲料容器であって、
前記茶葉収納部材の上面には茶葉投入口が設けられ、側面及び底面の少なくとも一面には茶葉の流出を防止する多数の通水孔が形成され、
前記飲み口部材は、前記基部の周囲に前記飲み口部材を貫通した通水口が設けられ、
前記飲み口部材は、前記茶葉投入口が前記基部の底面によって閉鎖されるように前記茶葉収納部材を着脱自在な取付け部を有することを特徴とする携帯用飲料容器。
【請求項２】
前記茶葉収納部材は、前記茶葉投入口の外周に沿って形成された外縁部を有し、かつ、前記飲み口部材の前記取付け部は前記外縁部に係合して前記茶葉収納部材を保持することを特徴とする請求項１に記載の携帯用飲料容器。
【請求項３】
前記飲み口部材の前記取付け部は、複数の爪部を有し、
前記茶葉収納部材の前記外縁部は、前記茶葉収納部材を前記飲み口部材に取り付ける際に、前記飲み口部材の前記底面上をスライドして前記爪部に係合保持されることを特徴とする請求項２に記載の携帯用飲料容器。
【請求項４】
前記飲み口部材の前記基部の前記底面には、前記茶葉収納部材が当該底面に取り付けられた際に当該茶葉収納部材を抜けにくくする抜け止め部がさらに設けられていることを特徴とする請求項１〜３のいずれかに記載の携帯用飲料容器。
【請求項５】
前記飲み口部材は前記基部及び前記通水口の周囲に沿って立設した外壁部をさらに備え、かつ当該外壁部が樹脂製であることを特徴とする請求項１〜４のいずれかに記載の携帯用飲料容器。
【考案の詳細な説明】
【技術分野】
【０００１】
本発明は、緑茶、紅茶、ハーブティー等の茶葉等を煎じる茶漉し機能を有し、この煎じた飲料を保温したまま携帯し必要に応じて直接飲むことのできる携帯用飲料容器に関する。
【背景技術】
【０００２】
従来から、例えば、特許文献１〜３に示すように、茶漉し機能を有した携帯型の飲料容器がある。
【０００３】
（特許文献１，２の飲料容器の概要）
特許文献１や２は、容器本体の上部開口部に着脱可能に装着される栓体の下部に茶葉収納部を着脱自在に設け、この茶葉収納部に茶葉を収納して茶を煎じるものであり、茶葉収納部がフィルター（茶漉し器）として機能するものである。
【０００４】
（特許文献１，２の飲料容器の問題点）
しかしながら、特許文献１や２に記載の飲料容器は、いずれも茶葉収納部が栓体を取り外した状態では、その上部が開口した構成を採用している。このため、この茶葉収納部に茶葉を入れて容器本体で煎じた茶を直接飲む際には、この茶葉収納部を取り外してから飲まないと、茶葉収納部内に収納した茶葉がこの茶葉収納部から流出してしまい、茶と一緒に茶葉が口の中に入ってきてしまい、不快感が生ずるといった問題があった。よって、従来の飲料容器の容器本体内に煎じた茶を飲む際は、一々、茶葉収納部を取り外さなければならないといった厄介な作業をしなくてはならなかった。
【０００５】
（特許文献３の飲料容器の概要）
上記問題点を対処するために、特許文献３に記載の飲料容器が報告されている。この飲料容器は、具体的には、（１）上部開口部を有した容器本体と、（２）この上部開口部付近に設けられた注出口部と、（３）この注出口部に着脱自在に設けられた栓体と、（４）容器本体内に着脱自在に設けられた収容された茶葉収納部と、（５）栓体と茶葉収納部の間に着脱自在に設けられかつ容器本体と注出口部とを連通する通水路を形成する中栓部と、（６）茶葉収納部の茶葉投入口に着脱自在又は起伏街道自在に閉蓋して通水路から茶葉の流出を防止する蓋体と、の部材から少なくとも構成される。以上の構成により、飲料容器は、注出口部に直接口をつけて飲む場合には、飲料と一緒に茶葉が口の中に入り込むことがないので、従来のように、一々、茶葉の入った茶葉収納部を取り外さなくとも良い。
【０００６】
（特許文献３の飲料容器の問題点）
しかしながら、特許文献３に記載の飲料容器は、以上の効果を達成するために、必要な部品点数が非常に多くなるだけではなく、各部品自体も複雑な構造にしなければならない。また、各部品間の接続方法や取付方法も簡素であるとは言えない。特に、容器本体と注出口部とを連通する通水路は、茶葉収納部、蓋体、中栓部及び栓体等の多くの部材で区画されるため、使用後に洗浄しにくく衛生の面で改善の余地がある。また、使用中も、その通水孔では茶葉等によって目詰まりが発生し易く、注出口部に直接口をつけ飲料容器を傾けても、なかなか飲料が流れ出てこない事態も懸念される。
【先行技術文献】
【特許文献】
【０００７】
【特許文献１】特許第４０５１６９２号公報
【特許文献２】特開２００９−２９７１９１号公報
【特許文献３】特開２０１２−１５７４３２号公報
【考案の概要】
【考案が解決しようとする課題】
【０００８】
本考案はかかる事情に鑑みてなされたもので、茶葉収納部を取り外さなくとも茶葉を流出させずに容器本体内の飲料を飲むことができ、低コストで部品点数が少なくかつ衛生的な携帯用飲料容器を提供することを目的とする。
【課題を解決するための手段】
【０００９】
すなわち、本考案は、例えば、次の構成・特徴を採用するものである。
（態様１）
上部開口部を有した容器本体と、
前記容器本体に着脱自在に設けられかつ前記上部開口部を閉栓可能な栓体と、
前記上部開口部内に着脱可能に設けられ、かつ当該上部開口部を覆うことのできる基部を有した飲み口部材と、
前記容器本体内に収容可能な茶葉収納部材と、
を備えた携帯用飲料容器であって、
前記茶葉収納部材の上面には茶葉投入口が設けられ、側面及び底面の少なくとも一面には茶葉の流出を防止する多数の通水孔が形成され、
前記飲み口部材は、前記基部の周囲に前記飲み口部材を貫通した通水口が設けられ、
前記飲み口部材は、前記茶葉投入口が前記基部の底面によって閉鎖されるように前記茶葉収納部材を着脱自在な取付け部を有することを特徴とする携帯用飲料容器。
（態様２）
前記茶葉収納部材は、前記茶葉投入口の外周に沿って形成された外縁部を有し、かつ、前記飲み口部材の前記取付け部は前記外縁部に係合して前記茶葉収納部材を保持することを特徴とする態様１に記載の携帯用飲料容器。
（態様３）
前記飲み口部材の前記取付け部は、複数の爪部を有し、
前記茶葉収納部材の前記外縁部は、前記茶葉収納部材を前記飲み口部材に取り付ける際に、前記飲み口部材の前記底面上をスライドして前記爪部に係合保持されることを特徴とする態様２に記載の携帯用飲料容器。
（態様４）
前記飲み口部材の前記基部の前記底面には、前記茶葉収納部材が当該底面に取り付けられた際に当該茶葉収納部材を抜けにくくする抜け止め部がさらに設けられていることを特徴とする態様１〜３のいずれかに記載の携帯用飲料容器。
（態様５）
前記飲み口部材は前記基部及び前記通水口の周囲に沿って立設した外壁部をさらに備え、かつ当該外壁部が樹脂製であることを特徴とする態様１〜４のいずれかに記載の携帯用飲料容器。
【考案の効果】
【００１０】
本考案の携帯用飲料容器は、以上のように構成されているため、茶葉収納部を取り外さなくとも茶葉を流出させずに容器本体内の飲料を飲むことができる。
【００１１】
また、本考案の携帯用飲料容器は、実質的に、容器本体、栓体、飲み口部材、及び茶葉収納部材の四つの部材だけで、以上の効果を実現することが可能であり、同様の効果を実現する従来品に比べて、極めて簡素な構造であり、生産コストを飛躍的に抑えることができる。しかも、各部材は形状がシンプルな上に、別々に分離することできるため、本容器の使用後は各部材を洗浄しやすく極めて衛生的でもある。
【図面の簡単な説明】
【００１２】
【図１】実施例の携帯用飲料容器（閉栓状態）の（ａ）斜視図、（ｂ）正面図、及び（ｃ）平面図である。
【図２】実施例の携帯用飲料容器の分解斜視図である。
【図３】図２とは別の方向から観た飲料容器の分解斜視図である。
【図４】図１（ｃ）のＡ−Ａ線で破断した飲料容器の断面図である。
【図５】飲み口部材の（ａ）底面図及び（ｂ）側面図、茶葉収納部材の（ｃ）底面図及び（ｄ）側面図、並びに、飲み口部材への茶葉収納部材の取付けを説明した図（ｅ）である。
【考案を実施するための形態】
【００１３】
以下、本考案を図面に示す実施例に基づき説明するが、本考案は、下記の具体的な実施例に何等限定されるものではない。なお、各図において同一又は対応する要素には同一符号を用いる。
【実施例】
【００１４】
（携帯用飲料容器１の基本構成）
本考案の実施例に係る携帯用飲料容器１（以下、単に「飲料容器」とも呼ぶ。）は、図１〜図４に示すように、上部開口部２１を有した容器本体２と、容器本体２に着脱自在に設けられかつ上部開口部２１を閉栓可能な栓体３と、上部開口部２１内に着脱可能に設けられ、かつ当該上部開口部２１を覆うことのできる基部４１を有した飲み口部材４と、容器本体２内に収容可能な茶葉収納部材５と、を備える。次に、携帯用飲料容器１の上記各部材２，３，４，５について詳細に説明する。
【００１５】
（容器本体２の構成）
容器本体２は、有底の外筒２２と、有底の内筒２３と、これらの筒２２，２３の間に設けられた真空断熱構造の断熱部２４と、から構成され、中空円筒状を成す。両筒２２，２３とも金属製（防錆の面から、好ましくは、ステンレス製）であることが好ましい。また、外筒２２の上部外周面にはネジ部２５が配設されており、このネジ部２５は、後述する栓体３を構成する栓本体３１の内周面に配設されたネジ部３１ｓと螺合することにより、栓体３が上部開口部２１を閉栓するようにこの栓体３を容器本体２に取り付けることができる。
【００１６】
（栓体３の基本構成）
栓体３は、栓本体３１と、栓内側部品３２と、断熱部品３３と、栓パッキン３４とで、基本的に構成される。ここで、図示の栓本体３１は、下部開口部３５が有した有底の中空円筒状を成す。
【００１７】
（栓本体３１の構成）
なお、栓本体３１は、栓基部３１ｂと、この栓基部３１ｂの外周に沿って立設して下部開口部３５を形成する栓外周壁３１ｆと、から構成される。栓本体３１は、好ましくは樹脂で作られる。この栓外周壁３１ｆは、容器本体２の径に対応した径を有しており、その内周面には容器本体２のネジ部２５と相補的な形状を成すネジ部３１ｓが配設される。これにより、栓体３が容器本体２を閉栓するように栓体３は容器本体２に螺合する。なお、図示の例では、栓体３の意匠性と剛性を向上する観点から、栓本体３１の栓基部３１ｂの外側面を覆う栓カバー３６が設けられている。
【００１８】
（栓本体３１以外の栓体３の各部材の構成）
栓内側部品３２は、好ましくは樹脂製であり、栓本体３１における栓基部３１ｂの内面に設置（好ましくは、超音波溶着などの溶着により設置）される。断熱部品３３は、この栓内側部品３２と栓基部３１ｂとの間に設けられ、発泡スチロール等の合成樹脂製の充填物であることが好ましい。また、栓パッキン３４は、好ましくはシリコーンゴム等の弾性体で作られ、栓内側部品３２の外周面に沿って配設される。これにより、飲料容器１の閉栓状態において、後述する飲み口部材４の外壁部（図示の例では外周壁）４３における内径と、栓内側部品３２の外径と、の隙間（ギャップ）を適切に埋め、容器本体２から飲み口部材４を介して流れ出る飲料（図示せず）を確実に止水することができるようになる。
【００１９】
（茶葉収納部材５の構成）
本実施例の茶葉収納部材５は、上部が開口しかつ有底の中空筒状体を成す。この茶葉収納部材５は、好ましくは防錆性を発揮する金属製であるが、これに限定されず樹脂などであってもよい。なお、図示の例では、茶葉収納部材５は中空円筒体であるが、必ずしもこの形状に限定されず、例えば中空角筒体であってもよい。茶葉収納部材５の上面５１には茶葉投入口５２が設けられ、側面５３及び底面５４の少なくとも一面には、液体状の飲料のみを通過させるものの茶葉の流出を防止する多数の通水孔５５が形成される。
【００２０】
（茶葉収納部材５の機能）
この茶葉投入口５２には、緑茶、紅茶、ハーブティーなどの茶葉や粗挽きの珈琲粉などを投入することができ、この状態の茶葉収納部材５に熱湯を注ぐことにより、煎じられた飲料が通水孔５５を通過し、容器本体２内に収容保存されることになる。
【００２１】
（飲み口部材４の構成）
飲み口部材４は、基部４１の周囲に当該飲み口部材４を貫通した通水口４２が少なくとも一つ設けられる。なお、図示の例では、互いに離間した三つの通水口４２が配設されている。飲み口部材４は、茶葉投入口５２が基部４１の底面４１ｂによって閉鎖されるように茶葉収納部材５を着脱自在な取付け部４５を有する。
【００２２】
飲み口部材４は、基部４１及び通水口４２の周囲に沿って立設した外壁部４３をさらに備え、かつ当該外壁部４３が樹脂製であることが好ましい。この外壁部４３は、容器本体２の内径に対応した外径を有し、外周方向外側に張り出した突出部４３ｐや飲み口パッキン４４を有していることがさらに好ましい。
【００２３】
この突出部４３ｐにより、飲み口部材４は容器本体２の上部開口部２１を覆うように当該容器本体２上に確実に着座する（取り付けられる）。また、飲み口パッキン４４により、飲み口部材４の外壁部４３と容器本体２の上部開口部２１との隙間を適切かつ確実に埋めるため、この隙間からの飲料の流出が防止される。従って、容器本体２に収容された飲料は、通水口４２を介してのみ外部に流出することになる。
【００２４】
（飲み口部材４の様々な機能）
以上のように、飲料容器１の使用者は、飲料容器１から栓体３を取り外し、この外壁部４３の上端縁に唇をあてながら飲料容器１を傾けることによって容器本体１に収容されている飲料を飲むことができる。
【００２５】
なお、通水口４２の配設により、例えば、容器本体２内の茶葉収納部材５の周囲に氷を投入して冷やした飲料を飲む場合には、容器本体２を傾けた際に、氷が容器本体２から飛び出して直接口に入ることを防止できる。また、熱い飲料を飲む場合にも、通水口４２の開口具合を所定の寸法に設定しておくことで、熱い飲料が勢いよく飛び出すことを抑え、ひいては唇や舌のやけどを防止することができる。この外壁部４３をさらに樹脂製にしておくことで、上述のやけど防止の性能をさらに向上させることができるとともに、ソフトな口当たりを実現することができる。
【００２６】
（茶葉収納部材５を飲み口部材４に取り付ける好適な構造）
また、飲み口部材４は、上述のような取付け部４５を有するため、飲み口部材４の裏面（具体的には、基部４１の底面４１ｂ）に直接、茶葉収納部材５を取り付ける（保持する）ことができる。以下に、茶葉収納部材５を飲み口部材４に取り付ける好適な構造を例示する。
【００２７】
茶葉収納部材５は、茶葉投入口５２の外周に沿って形成された外縁部５６を有する一方、飲み口部材４の取付け部４５は、この外縁部５６に係合して茶葉収納部材５を保持することが好ましい。なお、外縁部５６は、さらに好ましくは、通水孔５５が形成された側面５３よりもさらに外周方向外側に張り出していることが好ましい。
【００２８】
飲み口部材４の取付け部４５は、図５（ａ）に示すように、複数（図示の例では、三つ）の爪部を有することが好ましい。これにより、図５（ｅ）に示すように、茶葉収納部材５の外縁部５６は、茶葉収納部材５を飲み口部材４に取り付ける際に、飲み口部材４の基部４１の底面４１ｂ上をスライドして爪部４５に係合保持されるようになる。
【００２９】
なお、図５（ａ）及び（ｃ）に示すように、爪部４５を、茶葉収納部材５の外縁部５６の外周（円周）に沿い、等間隔（つまり、当該円周の中心点を基点に約９０°間隔）に離間するように基部４１の裏面に配設すると、外縁部５６の円滑なスライド及び係合が保証されるだけではなく、爪部４５の一つ（例えば、他の２つの爪部４５，４５の間の爪部４５）により、そのスライド量が規制されるために所定の決まった位置に茶葉収納部材５を容易に取り付けることができるようになる。
【００３０】
また、飲み口部材４の基部４１の底面４１ｂには、茶葉収納部材５が底面４１ｂに取り付けられた際に茶葉収納部材５を抜けにくくする抜け止め部４６がさらに設けられていることが好ましい。なお、この抜け止め部４６は、図５（ａ）、（ｃ）及び（ｅ）などに示すように、底面４１ｂから下側（容器本体２）に向けて突出した凸部であることがさらに好ましい。この抜け止め部４６が無い場合には、本考案の飲料容器１を携帯している間は、上述の爪部４５のみで茶葉収納部材５を保持しなければならないので、携帯中の飲料容器１が不意に受ける振動や衝撃によって脱落する危惧を払拭できない。しかしながら、この抜け止め部４６の配設は、このような心配を払拭できるため、非常に有意義である。
【産業上の利用可能性】
【００３１】
本考案の携帯用飲料容器１は、以上のように構成されているため、茶葉収納部材５を取り外さなくとも茶葉を流出させずに容器本体２内の飲料を飲むことができる。
【００３２】
また、本考案の携帯用飲料容器１は、実質的に、容器本体２、栓体３、飲み口部材４、及び茶葉収納部材５の四つの部材だけで、以上の効果を実現することが可能であり、同様の効果を実現する従来品に比べて、極めて簡素な構造であり、生産コストを飛躍的に抑えることができる。しかも、各部材は形状がシンプルな上に、別々に分離することできるため、本容器の使用後は各部材を洗浄しやすく極めて衛生的でもある。
【００３３】
このように、本考案は産業上の利用価値及び産業上の利用可能性が非常に高い。
【符号の説明】
【００３４】
１    携帯用飲料容器
２    容器本体
３    栓体
４    飲み口部材
５    茶葉収納部材
２１    容器本体の上部開口部
２２    容器本体の外筒
２３    容器本体の内筒
２４    容器本体の断熱部
２５    容器本体のネジ部
３１    栓本体
３１ｂ    栓本体の基部
３１ｆ    栓本体の栓外周壁
３１ｓ    栓本体のネジ部
３２    栓内側部品
３３    断熱部品
３４    栓パッキン
３５    栓体の下部開口部
３６    栓カバー
４１    飲み口部材の基部
４１ｂ    基部の底面
４２    飲み口部材の通水口
４３    飲み口部材の外壁部
４３ｐ    突出部
４４    飲み口パッキン
４５    飲み口部材の取付け部（爪部）
４６    抜け止め部（凸部）
５１    茶葉収納部材の上面
５２    茶葉投入口
５３    茶葉収納部材の側面
５４    茶葉収納部材の底面
５５    茶葉収納部材の通水孔
５６    茶葉収納部材の外縁部
【図１】
0003185488.tif 000003
【図２】
0003185488.tif 000004
【図３】
0003185488.tif 000005
【図４】
0003185488.tif 000006
【図５】
0003185488.tif 000007